(57)【要約】【課題】定期的に利用されるラベルとなる印刷物に印刷される印刷データの次回印刷予定日時が間近になったときに、その印刷データの次回印刷予定をユーザーに知らせることができるラベルプリンターを提供すること。【解決手段】印刷データ等である入力データと、ラベルとなるテープに印刷データが印刷された直近の日時である印刷日時情報と、印刷データの次回印刷が予定される日時であるお知らせ日時情報（次回印刷日時候補）とが関連付けられて、ＥＥＰＲＯＭの一つの関連ファイルに記憶される。そして、タイマーで計時された今回の印刷日時（現在の日時）が、当該印刷データを有する関連ファイルのお知らせ日時情報（次回印刷日時候補）が示す日時を過ぎた場合（Ｓ２４：ＹＥＳ）には、例えば、「メモリＮｏ．３の印刷時期が近づいてきました。印刷しますか？Ｙ／Ｎ」のメッセージが液晶ディスプレイに表示される。【選択図】図２
2012206474.tif 000002
【特許請求の範囲】
【請求項１】
ラベルとなる印刷媒体に印刷データを印刷する印刷手段と、
日時を計測する時計手段と、
前記印刷データと、印刷データが印刷された直近の日時である印刷日時情報と、印刷データの次回印刷が予定される日時である次回印刷日時情報とを関連付けて記憶する記憶手段と、
前記時計手段により取得した現在の日時が前記印刷データに関連付けて記憶された次回印刷日時情報に示す日時と所定の関係になった場合に、現在の日時が次回印刷日時情報に示す日時と前記所定関係になったことを告知する告知手段と、
を備えたこと、を特徴とするラベルプリンター。
【請求項２】
請求項１に記載するラベルプリンターであって、
前記印刷データが前記印刷手段によって印刷された場合に、印刷日時情報を前記時計手段により取得した現在の日時に更新すると共に、印刷データの印刷が２回目以降である場合には更に、次回印刷日時情報を、更新前の印刷日時情報に示す日時から現在の日時までに経過した期間を加算した日時に更新する印刷日時更新手段、
を備えたことを特徴とするラベルプリンター。
【請求項３】
請求項１又は請求項２に記載するラベルプリンターであって、
前記次回印刷日時情報を手動設定する手動設定手段、
を備えたことを特徴とするラベルプリンター。
【請求項４】
請求項１乃至請求項３の何れか一つに記載するラベルプリンターであって、
前記告知手段は、前記ラベルプリンターの起動時に告知すること、を特徴とするラベルプリンター。
【発明の詳細な説明】
【技術分野】
【０００１】
本発明は、定期的に利用されるラベルとなる印刷物に印刷データを印刷するラベルプリンターに関するものである。
【背景技術】
【０００２】
下記特許文献１には、「どの情報を印刷しておければよいかの印刷予約受付時に、印刷物を受け取る受取日時を任意に指定可能であると共に、指定日時までに印刷した印刷物を保管しておくことで、印刷物の受け取り時に印刷物を即座に入手でき、顧客へのサービス向上と共に、販売量の増大を期待することができる」技術が記載されている。
【０００３】
この技術によれば、定期的に利用される印刷物を指定日時までに印刷・保管しておくことで、印刷物の受け取り時に印刷物を即座に入手できる。
【先行技術文献】
【特許文献】
【０００４】
【特許文献１】特開２００１−１６０１８１号公報
【発明の概要】
【発明が解決しようとする課題】
【０００５】
この点、ラベルプリンターで作成されるラベルについて、定期的に利用される例を挙げれば、購入した消耗品の管理ラベルや、棚に保管中の物品の管理ラベル、個人的な研究ノートに貼り付けられる表紙ラベル等がある。
【０００６】
これらのラベルは、定期的に利用されるとしても、その後の事情によって、利用される時期が前後にずれたり、あるいは、利用される時期の見通しがつかないことがあった。このような場合に、ラベルを作成・保管しておくことは、ラベルの経年劣化・放置・廃棄などの原因となって、不都合な事態を招くことも多い。
【０００７】
そこで、本発明は、上述した点を鑑みてなされたものであり、定期的に利用されるラベルとなる印刷物に印刷される印刷データの次回印刷予定日時が間近になったときに、その印刷データの次回印刷予定をユーザーに知らせることができるラベルプリンターを提供することを課題とする。
【課題を解決するための手段】
【０００８】
この課題を解決するためになされた発明は、ラベルプリンターであって、ラベルとなる印刷媒体に印刷データを印刷する印刷手段と、日時を計測する時計手段と、前記印刷データと、印刷データが印刷された直近の日時である印刷日時情報と、印刷データの次回印刷が予定される日時である次回印刷日時情報とを関連付けて記憶する記憶手段と、前記時計手段により取得した現在の日時が前記印刷データに関連付けて記憶された次回印刷日時情報に示す日時と所定の関係になった場合に、現在の日時が次回印刷日時情報に示す日時と前記所定の関係になったことを告知する告知手段と、を備えたこと、を特徴とする。
【発明の効果】
【０００９】
すなわち、本発明のラベルプリンターでは、印刷データと、ラベルとなる印刷媒体に印刷データが印刷された直近の日時である印刷日時情報と、印刷データの次回印刷が予定される日時である次回印刷日時情報とが関連付けて記憶され、現在の日時が当該印刷データに関連付けて記憶された次回印刷日時情報に示す日時と所定の関係になった場合に、現在の日時が次回印刷日時情報に示す日時とその所定の関係になったことが告知されるので、定期的に利用されるラベルとなる印刷物に印刷される印刷データの次回印刷予定日時付近になったときに、その印刷データの次回印刷予定をユーザーに知らせることができる。
【図面の簡単な説明】
【００１０】
【図１】本発明の一実施形態に係るラベルライターの動作制御プログラムが表されたフローチャート図である。
【図２】同ラベルライターの動作制御プログラムが表されたフローチャート図である。
【図３】同ラベルライターの動作制御プログラムが表されたフローチャート図である。
【図４】同ラベルライターの動作制御プログラムが表されたフローチャート図である。
【図５】同ラベルライターが有する関連データを説明するための模式図である。
【図６】同ラベルライターが有する液晶ディプレイの表示内容が表された図である。
【図７】同ラベルライターを表した斜視図である。
【図８】同ラベルライターを表した平面図である。
【図９】同ラベルライターの制御系を表したブロック図である。
【発明を実施するための形態】
【００１１】
［１．ラベルプリンターの外部構成］
本発明の実施の形態を図面を参照にして説明する。図７や図８に表したように、本発明の一実施形態に係るラベルライター１では、本体筐体２に対して、キーボード３や、液晶ディスプレイ４、ラベル排出口５等が設けられている。ラベル排出口５からは、ラベル６が排出される。
【００１２】
図９に示すように、ラベルライター１は、制御部６０や、ヘッド駆動回路６８、切断用モーター駆動回路６９、搬送モーター駆動回路７０等を有する。制御部６０は、ＣＰＵ６１や、ＣＧ−ＲＯＭ６２、ＥＥＰＲＯＭ６３、ＲＯＭ６４、ＲＡＭ６６により構成される。更に、制御部６０は、ヘッド駆動回路６８や、切断用モーター駆動回路６９、搬送モーター駆動回路７０に接続される。その上、制御部６０は、キーボード３や、液晶ディスプレイ４、タイマー７、接続インターフェース８１、通信インターフェース８２にも接続される。
【００１３】
ＣＰＵ６１は、ラベルライター１における各種制御の中枢を担う中央演算処理装置である。従って、ＣＰＵ６１は、キーボード３等からの入力信号及び各種制御プログラム等に基づいて、液晶ディスプレイ４等を制御する。
【００１４】
ＣＧ−ＲＯＭ６２は、印字される文字や記号の画像データがコードデータと対応させてドットパターンで記憶されるキャラクタージェネレータ用メモリである。ＥＥＰＲＯＭ６３は、記憶内容の書込・消去ができる不揮発性メモリであり、データ等が記憶される。ＲＯＭ６４には、ラベルライター１における各種制御プログラムやデータが記憶される。
【００１５】
ＲＡＭ６６は、ＣＰＵ６１での演算結果等が一時的に記憶される記憶装置である。ＲＡＭ６６には、例えば、キーボード３の入力により編集された印刷データ等が記憶される。接続インターフェース８１は、不図示のパーソナルコンピューターを接続するためのものである。通信インターフェース８２は、不図示の周辺機器等からの通信データを受信するためのものである。
【００１６】
ヘッド駆動回路６８は、ＣＰＵ６１からの制御信号に基づいてサーマルヘッド７１に駆動信号を供給し、サーマルヘッド７１の駆動状態を制御する回路である。切断用モーター駆動回路６９は、ＣＰＵ６１からの制御信号に基づいて切断用モーター７２に駆動信号を供給し、切断用モーター７２の駆動制御を行う回路である。搬送モーター駆動回路７０は、ＣＰＵ６１からの制御信号に基づいてテープ搬送モーター７３に駆動信号を供給し、テープ搬送モーター７３の駆動制御を行う制御回路である。
【００１７】
ＣＰＵ６１は、これらの制御回路６８，６９，７０を使用することにより、本体筐体２（上記図７と上記図８参照）に装着中のテープカセット内でインクリボンを介して印刷データを印刷させたテープ（「印刷媒体」に相当するもの）を、当該テープカセット外で切断させることによりラベル６を作成する。従って、ヘッド駆動回路６８や、搬送モーター駆動回路７０、サーマルヘッド７１、テープ搬送モーター７３等により「印刷手段」が構成される。
【００１８】
タイマー７は、ラベルプリンター１の制御を実行するための計時を行う計時装置である。
【００１９】
［２．ラベルプリンターの動作制御］
次に、ラベルプリンター１の動作制御について説明する。図１乃至図４のフローチャート図で表された制御プログラムは、ラベルプリンター１の動作制御を行うためのプログラムであって、ＲＯＭ６４等に記憶されており、ＣＰＵ６１により実行される。
【００２０】
［２−１．メイン処理］
図１に表されたように、ラベルプリンター１の動作制御では、先ず、Ｓ１１において、起動処理が行われる。この起動処理の説明は後述する。その後は、Ｓ１２に進む。Ｓ１２では、キー入力があるか否かが判断される。この判断処理は、キーボード３からの入力信号に基づいて行われる。ここで、キー入力がないと判断された場合（Ｓ１２：ＮＯ）には、Ｓ１２自身に戻って、再び、キー入力があるか否かが判断される。これに対して、キー入力があると判断された場合（Ｓ１２：ＹＥＳ）には、Ｓ１３に進む。
【００２１】
Ｓ１３では、上記Ｓ１２で入力されたとするキーが印刷キーであるか否かが判断される。 ここで、印刷キーであると判断された場合（Ｓ１３：ＹＥＳ）には、Ｓ１４に進む。Ｓ１４では、印刷処理が行われる。この印刷処理の説明は後述する。その後は、上記Ｓ１２に戻って、Ｓ１２以降の処理が繰り返される。
【００２２】
一方、上記Ｓ１３において、印刷キーでないと判断された場合（Ｓ１３：ＮＯ）には、Ｓ１５に進んで、その他の処理が行われる。その後は、上記Ｓ１２に戻って、Ｓ１２以降の処理が繰り返される。
【００２３】
［２−２．起動処理］
次に、上記Ｓ１１の起動処理について説明する。図２に表されたように、起動処理では、先ず、Ｓ２１において、キーボード３上で電源キーがオンされるまで待機し、電源キーがオンされると、Ｓ２２に進む。
【００２４】
Ｓ２２では、メモリ保存ファイルがあるか否かが判断される。この判断処理を具体的に言えば、後述する関連ファイル（下記図５参照）が一つでもＥＥＰＲＯＭ６３に記憶されていれば、メモリ保存ファイルがあると判断される。これに対して、後述する関連ファイルが一つでもＥＥＰＲＯＭ６３に記憶されていなければ、メモリ保存ファイルがないと判断される。
【００２５】
ここで、メモリ保存ファイルがないと判断された場合（Ｓ２２：ＮＯ）には、後述するＳ２３に進む。これに対して、メモリ保存ファイルがあると判断された場合（Ｓ２２：ＹＥＳ）には、Ｓ２４に進む。
【００２６】
Ｓ２４では、お知らせ対象データがあるか否かが判断される。この判断処理を具体的に言えば、ＥＥＰＲＯＭ６３に記憶されている一又は複数の後述する関連ファイルのうち、後述する印刷日時情報（下記図５参照）が示す日時が後述するお知らせ日時情報（下記図５参照）が示す日時を過ぎていれば、お知らせ対象データがあると判断され、これに対して、後述する印刷日時情報が示す日時が後述するお知らせ日時情報が示す日時を過ぎていなければ、お知らせ対象データがないと判断される。ここで、お知らせ対象データがないと判断された場合（Ｓ２４：ＮＯ）には、後述するＳ２３に進む。これに対して、お知らせ対象データがあると判断された場合（Ｓ２４：ＹＥＳ）には、Ｓ２５に進む。
【００２７】
Ｓ２５では、印刷するか否かが判断される。このとき、液晶ディスプレイ４には、上記Ｓ２４でお知らせ対象データがあると判断された後述する関連ファイルに関するメッセージが表示される。具体的には、図６の上段に表された液晶ディスプレイ４のように、「メモリＮｏ．３の印刷時期が近づいてきました。印刷しますか？Ｙ／Ｎ」のメッセージが表示される。
【００２８】
ここで、キーボード３を介してノーキーが選択されると、印刷しないと判断され（Ｓ２５：ＮＯ）、上記Ｓ２２に戻って、Ｓ２２以降の処理が繰り返される。これに対して、キーボード３を介してイエスキーが選択されると、印刷すると判断され（Ｓ２５：ＹＥＳ）、Ｓ２６に進む。
【００２９】
Ｓ２６では、印刷処理が行われる。この印刷処理の説明は後述する。その後は、上記Ｓ２２に戻って、Ｓ２２以降の処理が繰り返される。
【００３０】
一方、メモリ保存ファイルがないと判断された場合（Ｓ２２：ＮＯ）や、お知らせ対象データがないと判断された場合（Ｓ２４：ＮＯ）には、Ｓ２３に進む。Ｓ２３では、液晶ディスプレイ４に起動画面が表示される。これにより、この起動処理が終了する。その後は、上記図１に戻ってＳ１２に進む。
【００３１】
［２−３．印刷処理］
次に、上記Ｓ１４及び上記Ｓ２６の印刷処理について説明する。図３に表されたように、印刷処理では、先ず、Ｓ３１において、印刷処理が行われる。この印刷処理では、上述したように、ＣＰＵ６１は、各制御回路６８，６９，７０を使用することにより、本体筐体２に装着中のテープカセット内でインクリボンを介して印刷データを印刷させたテープを、当該テープカセット外で切断させることによりラベル６を作成する。その後は、Ｓ３２に進む。
【００３２】
Ｓ３２では、上記Ｓ３１で使用された印刷データに対し印刷日時情報が設定されているか否かが判断される。ここで、上記Ｓ３１で使用された印刷データに関して説明する。一つの印刷データに対しては、図５に表されたような一つの関連ファイル１０１が作成される。関連ファイル１０１は、入力データ１１１や、印刷日時情報１１２、お知らせ日時情報１１３で構成される。入力データ１１１は、印刷データ等である。印刷日時情報１１２やお知らせ日時情報１１３は、日時データであるが、デフォルト状態では、例えば、「００／００／００  ００：００（ＹＹ／ＭＭ／ＤＤ  ＨＨ：ＭＭ）」とされ、日時データは設定されていない。
【００３３】
つまり、上記Ｓ３１で使用された印刷データの入力データ１１１を有する関連ファイル１０１について、印刷日時情報１１２に日時データが設定されていれば、即ち、デフォルト状態でなければ、上記Ｓ３１で使用された印刷データに対し印刷日時情報が設定されていると判断され、印刷日時情報１１２に日時データが設定されていなければ、上記Ｓ３１で使用された印刷データに対し印刷日時情報が設定されていないと判断される。
【００３４】
ここで、上記Ｓ３１で使用された印刷データに対し印刷日時情報が設定されていないと判断された場合（Ｓ３２：ＮＯ）には、後述するＳ３３に進む。これに対して、上記Ｓ３１で使用された印刷データに対し印刷日時情報が設定されていると判断された場合（Ｓ３２：ＹＥＳ）には、Ｓ３４に進む。
【００３５】
Ｓ３４では、印刷日時を指定するか否かが判断される。この判断処理は、キーボード３からの入力信号に基づいて行われる。このとき、液晶ディスプレイ４には、例えば、「前回は、２０１１／０３／１０に印刷されています。次回の印刷のお知らせ設定しますか？」のメッセージが表示される。そのメッセージに表示された「２０１１／０３／１０」は、上記Ｓ３２で設定されていると判断された印刷日時情報１１２の日時データが示す日時である。
【００３６】
ここで、印刷日時を指定しない場合（Ｓ３４：ＮＯ）には、この印刷処理が終了する。その後は、上記図１に戻ってＳ１２に進むか、あるいは、上記図２に戻ってＳ２２に進む。これに対して、印刷日時を指定する場合（Ｓ３４：ＹＥＳ）には、Ｓ３５に進む。
【００３７】
Ｓ３５では、次回印刷日時候補が液晶ディスプレイ４に表示される。この表示処理では、上記Ｓ３１で使用された印刷データに関し、前回の印刷日時と今回の印刷日時（現在の日時）の差分が求められ、その差分に基づいて求められたお知らせ日時が次回印刷日時候補として液晶ディスプレイ４に表示される。
【００３８】
前回の印刷日時とは、関連ファイル１０１の印刷日時情報１１２に設定されている日時データ（前回の印刷履歴）である。今回の印刷日時（現在の日時）とは、タイマー７で計時された現在の日時データである。そして、例えば、前回の印刷日時が「２０１１／０３／１０」であり、今回の印刷日時（現在の日時）が「２０１２／０３／０１」である場合には、次回印刷日時候補として、「２０１３／０３／０１」のお知らせ日時が液晶ディスプレイ４に表示される。その後は、Ｓ３６に進む。
【００３９】
Ｓ３６では、印刷日時情報更新の処理がなされる。この更新処理では、上記Ｓ３１で使用された印刷データの入力データ１１１を有する関連ファイル１０１について、印刷日時情報１１２の日時データが今回の印刷日時（現在の日時）のデータに更新される。尚、このようにして、印刷日時情報１１２に日時データが設定されていれば、上記Ｓ３１で使用された印刷データの印刷が２回目以降であることを意味する。その後は、Ｓ３７に進む。
【００４０】
Ｓ３７では、お知らせ日時設定の処理がなされる。この設定処理では、上記Ｓ３１で使用された印刷データの入力データ１１１を有する関連ファイル１０１について、お知らせ日時情報１１３の日時データが上記Ｓ３５で液晶ディスプレイ４に表示されたお知らせ日時（次回印刷日時候補）のデータに設定される。その後は、Ｓ３８に進む。
【００４１】
Ｓ３８では、保存処理がなされる。この保存処理の説明は後述する。その後は、この印刷処理が終了する。その後は、上記図１に戻ってＳ１２に進むか、あるいは、上記図２に戻ってＳ２２に進む。
【００４２】
一方、上述したように、上記Ｓ３１で使用された印刷データに対し印刷日時情報が設定されていないと判断された場合（Ｓ３２：ＮＯ）には、Ｓ３３に進む。Ｓ３３では、データ保存するか否かが判断される。この判断処理は、キーボード３からの入力信号に基づいて行われる。ここで、データ保存しないと判断された場合（Ｓ３３：ＮＯ）には、この印刷処理が終了する。その後は、上記図１に戻ってＳ１２に進むか、あるいは、上記図２に戻ってＳ２２に進む。これに対して、データ保存すると判断された場合（Ｓ３３：ＹＥＳ）には、Ｓ３９に進む。
【００４３】
Ｓ３９では、印刷日時情報更新の処理がなされる。この更新処理では、上記Ｓ３１で使用された印刷データの入力データ１１１を有する関連ファイル１０１について、印刷日時情報１１２の日時データが今回の印刷日時（現在の日時）のデータに更新される。尚、このようにして、印刷日時情報１１２に日時データが設定されていれば、上記Ｓ３１で使用された印刷データの印刷が２回目以降であることを意味する。その後は、Ｓ４０に進む。
【００４４】
Ｓ４０では、保存処理がなされる。この保存処理の説明は後述する。その後は、この印刷処理が終了する。その後は、上記図１に戻ってＳ１２に進むか、あるいは、上記図２に戻ってＳ２２に進む。
【００４５】
［２−４．保存処理］
次に、上記Ｓ３８及び上記Ｓ４０の保存処理について説明する。図４に表されたように、保存処理では、先ず、Ｓ５１において、保存可能であるか否かが判断される。この判断処理は、ＥＥＰＲＯＭ６３の記憶容量等に基づいて行われる。
【００４６】
ここで、保存可能であると判断された場合（Ｓ５１：ＹＥＳ）には、Ｓ５２に進んで、メモリへ保存の処理が行われる。この保存処理を具体的に言えば、上記Ｓ３１で使用された印刷データの入力データ１１１を有する関連ファイル１０１がＥＥＰＲＯＭ６３に記憶される。その後は、上記図１に戻ってＳ１２に進むか、あるいは、上記図２に戻ってＳ２２に進む。
【００４７】
これに対して、保存可能でないと判断された場合（Ｓ５１：ＮＯ）には、Ｓ５３に進んで、エラー処理が行われる。このエラー処理では、エラーメッセージが液晶ディスプレイ４に表示される。その後は、上記図１に戻ってＳ１２に進むか、あるいは、上記図２に戻ってＳ２２に進む。
【００４８】
［３．まとめ］
以上、詳細に説明にしたように、本実施の形態に係るラベルプリンター１では、図５に表された関連ファイル１０１のように、印刷データ等である入力データ１１１と、ラベル６となるテープに印刷データが印刷された直近の日時である印刷日時情報１１２と、印刷データの次回印刷が予定される日時であるお知らせ日時情報１１３（次回印刷日時候補）とが関連付けられてＥＥＰＲＯＭ６３に記憶される（Ｓ３６，Ｓ３７，Ｓ３９）。
【００４９】
そして、タイマー７で計時された今回の印刷日時（現在の日時）が、当該印刷データを有する関連ファイル１０１のお知らせ日時情報１１３（次回印刷日時候補）が示す日時と所定の関係になった場合に、ここでは、タイマー７で計時された今回の印刷日時（現在の日時）が、当該印刷データを有する関連ファイル１０１のお知らせ日時情報１１３（次回印刷日時候補）が示す日時を過ぎた場合（Ｓ２４：ＹＥＳ）には、例えば、図６の上段に表された液晶ディスプレイ４のように、「メモリＮｏ．３の印刷時期が近づいてきました。印刷しますか？Ｙ／Ｎ」のメッセージが表示されることにより、その旨が告知される。
【００５０】
よって、本実施の形態に係るラベルプリンター１では、定期的に利用されるラベル６となるテープに印刷される印刷データについて、そのお知らせ日時情報１１３（次回印刷日時候補）が示す日時付近になったときに、その次回印刷予定をユーザーに知らせることができる。
【００５１】
また、本実施の形態に係るラベルプリンター１は、その旨が告知されるタイミングがラベルプリンター１の起動時であることから（Ｓ１１，Ｓ２４）、その旨が告知されれば、その印刷データの次回印刷予定をユーザーに確実に伝えることができる。
【００５２】
また、本実施の形態に係るラベルプリンター１では、印刷データが印刷された場合（Ｓ１４，Ｓ２６）に、印刷日時情報１１２が今回の印刷日時（現在の日時）に更新されると共に（Ｓ３６，Ｓ３９）、印刷データの印刷が２回目以降である場合（Ｓ３２：ＹＥＳ）には更に、お知らせ日時情報１１３（次回印刷日時候補）を、更新前の印刷日時情報に示す日時から今回の印刷日時（現在の日時）までに経過した期間を加算した日時に更新される（Ｓ３５，Ｓ３７）。よって、その印刷データのお知らせ日時情報１１３（次回印刷日時候補）が次回印刷予定日時として自動的に設定されるので、本実施の形態に係るラベルプリンター１はユーザーフレンドリーである。
【００５３】
［４．その他］
尚、本発明は上記実施形態に限定されるものでなく、その趣旨を逸脱しない範囲で様々な変更が可能である。
例えば、上記Ｓ３５では、次回印刷日時候補が液晶ディスプレイ４に表示される。この表示処理では、上述したように、上記Ｓ３１で使用された印刷データに関し、前回の印刷日時と今回の印刷日時（現在の日時）の差分が求められ、その差分に基づいて求められたお知らせ日時が次回印刷日時候補として液晶ディスプレイ４に表示される。この点、次回印刷日時候補としてのお知らせ日時をキーボード３と液晶ディスプレイ４を介してユーザーが手動設定可能なようにすれば、次回印刷予定日時を手動設定することができるので、さらにユーザーフレンドリーである。
【００５４】
また、上述したラベルプリンター１の動作制御は、当該ラベルプリンター１と接続インターフェース８１を介して接続されたパーソナルコンピューター上で実行されるエディターでなされてもよい。この場合には、パーソナルコンピューター上でエディターが起動された際に、例えば、図６の上段に表された液晶ディスプレイ４のように、「メモリＮｏ．３の印刷時期が近づいてきました。印刷しますか？Ｙ／Ｎ」のメッセージがパーソナルコンピューターに表示されることにより、その旨が告知される。
【００５５】
すなわち、Ｓ３１の印刷処理以外の処理をパーソナルコンピューター側で行わせることにより、パーソナルコンピューターを本発明に関する編集装置として機能させてもよい。
【符号の説明】
【００５６】
１  ラベルプリンター
３  キーボード
４  液晶ディプレイ
６  ラベル（印刷媒体）
７  タイマー
６１  ＣＰＵ
６３  ＥＥＰＲＯＭ
６４  ＲＯＭ
６６  ＲＡＭ
６８  ヘッド駆動回路
７０  搬送モーター駆動回路
７１  サーマルヘッド
７３  テープ搬送モーター
１０１  関連データ
１１１  入力データ（印刷データ）
１１２  印刷日時情報
１１３  お知らせ日時情報
【図１】
2012206474.tif 000003
【図２】
2012206474.tif 000004
【図３】
2012206474.tif 000005
【図４】
2012206474.tif 000006
【図５】
2012206474.tif 000007
【図６】
2012206474.tif 000008
【図７】
2012206474.tif 000009
【図８】
2012206474.tif 000010
【図９】
2012206474.tif 000011